(57)【要約】【課題】緊急通報静観モードで緊急通報をしなければならないような状況でも、画像で携行者の様子を確認できるようにする。【解決手段】携帯無線端末１と、各地に分散している複数の撮像装置（図ではテレビ局Ａが所有する街中観測用のカメラ３、民家Ｂに設置されるカメラ付きのドアホン子器４）と、通報センタのセンタ装置２とにより通報システムを構成した。そして、センタ装置２において、撮像装置毎にその撮像範囲を決定する撮像範囲情報および識別情報を対応付けて記憶する記憶部２４を設け、この記憶部２４から、携帯無線端末１からの現在位置を撮像範囲に含む撮像範囲情報を抽出し、その撮像範囲情報に対応付けられた識別情報を読み出し、読み出した識別情報とともに撮像指示をその識別情報の撮像装置に送信することにより、その撮像装置から画像信号を受信し、その画像信号を用いて通報センタの表示装置に画像を表示するようにした。【選択図】  図１
2004355564.tif 000002
【特許請求の範囲】
【請求項１】
携帯無線端末と、各地に分散している複数の撮像装置と、通報センタとにより構成される通報システムであって、
前記携帯無線端末は、信号を送受信する無線送受信手段と、この無線送受信手段によって送受信される送受話信号をそれぞれ入出力する音声入力手段および音声出力手段と、発光表示により動作状況を示す発光手段と、操作入力手段と、ＧＰＳ受信手段と、このＧＰＳ受信手段で受信されたＧＰＳ信号から現在位置を演算により求める現在位置取得手段と、各種モードのうち、緊急通報静観モードに移行した場合には、前記音声入力手段と前記音声出力手段および前記発光手段とをそれぞれ動作状態と動作禁止状態とに切り換えるとともに、前記無線送受信手段を通じて、前記通報センタへの通信を開始し、前記現在位置取得手段によって求められる現在位置の情報および前記音声入力手段によって入力される送話信号を前記通報センタに送信する制御を行うモード切換制御手段とを備え、
前記撮像装置は、信号を送受信する撮像側通信手段と、撮像手段と、予め割り当てられた識別情報を記憶する記憶手段と、前記撮像側通信手段を通じて、前記記憶手段に記憶された識別情報とともに撮像指示を受信すると、前記撮像手段で撮像を開始し、その撮像によって得られる画像信号を返信する制御を行う撮像制御手段とを備え、
前記通報センタは、前記無線送受信手段と信号を送受信するための第１通信手段と、前記撮像側通信手段と信号を送受信するための第２通信手段と、前記第１通信手段によって送受信される送受話信号をそれぞれ入出力する音声入力手段および音声出力手段と、画像表示手段と、前記複数の撮像装置の各々についてその撮像範囲を決定する撮像範囲情報および識別情報を対応付けて記憶する撮像情報記憶手段と、前記第１通信手段を通じて、前記携帯無線端末と前記緊急通報静観モードで通信を開始した場合には、前記撮像情報記憶手段から、前記携帯無線端末の現在位置を撮像範囲に含む撮像範囲情報を抽出し、その撮像範囲情報に対応付けられた識別情報を読み出し、前記第２通信手段を通じて、読み出した識別情報とともに撮像指示をその識別情報の撮像装置に送信することにより、その撮像装置から画像信号を受信し、その画像信号を用いて前記画像表示手段に画像を表示する制御を行う撮像表示制御手段とを備える
ことを特徴とする通報システム。
【請求項２】
前記通報センタは、前記第１通信手段を通じて、前記携帯無線端末と前記緊急通報静観モードで通信を開始した場合には、現在位置情報の送信を要求する所定の要求コマンドを送信し、
前記携帯無線端末は、前記無線送受信手段を通じて、前記通報センタへの通信を開始した場合に、前記通報センタから前記要求コマンドを受信した後に前記現在位置の情報を前記通報センタに送信する
ことを特徴とする請求項１記載の通報システム。
【請求項３】
前記撮像装置は、ドアホン子器であることを特徴とする請求項１または２記載の通報システム。
【請求項４】
前記撮像装置は、街中に設置されたカメラであることを特徴とする請求項１または２記載の通報システム。
【請求項５】
前記通報センタは、予め、前記携帯無線端末の携行者を様々な角度から撮像して得た画像を、特定画像としてその携帯無線端末の識別情報に対応付けて記憶する画像記憶手段を備え、前記第２通信手段を通じて、前記撮像装置の識別情報とともに撮像指示を送信する際に、前記画像記憶手段から、通信中の携帯無線端末の識別情報に対応付けられた特定画像を読み出して送信し、
前記撮像装置は、前記通報センタからの特定画像に対応する画像が前記撮像手段の撮像によって得られる画像信号に含まれているか否かの判別を行う判別手段を備え、前記撮像手段の撮像によって得られる画像信号を送信する際に、前記判別結果を送信する
ことを特徴とする請求項１または２記載の通報システム。
【請求項６】
前記通報センタは、予め、前記携帯無線端末の携行者を様々な角度から撮像して得た画像を、特定画像としてその携帯無線端末の識別情報に対応付けて記憶する画像記憶手段と、前記第２通信手段を通じて、前記撮像装置から画像信号が得られた場合に、前記画像記憶手段から、通信中の携帯無線端末の識別情報に対応付けられた特定画像を読み出し、この特定画像に対応する画像が前記撮像装置からの画像信号に含まれているか否かの判別を行う判別手段とを備えることを特徴とする請求項１または２記載の通報システム。
【請求項７】
前記通報センタは、画像信号から画像の特徴を抽出してそれを強調した特徴強調画像を生成する画像処理手段と、その特徴強調画像を特定画像として記憶する特徴強調画像記憶手段とを備え、前記第１通信手段を通じて、前記特定画像用の画像信号を受信すると、その画像信号から前記画像処理手段によって特徴強調画像を生成してこれを返信する機能を持ち、この機能で特徴強調画像を生成したときに、これをその携帯無線端末の識別情報に対応付けて前記特徴強調画像記憶手段に予め記憶することを特徴とする請求項５または６記載の通報システム。
【請求項８】
前記特定画像は、前記携行者の恐怖または不安時の顔の画像であることを特徴とする請求項７記載の通報システム。
【請求項９】
前記特定画像は、予め決められたサインを表す特定の動きをした携行者の画像であることを特徴とする請求項７記載の通報システム。
【請求項１０】
前記撮像装置は、終端装置を介して専用通信線または公衆通信線に接続されるドアホン子器であり、
前記ドアホン子器は、前記通報センタと通信をするときに情報を記憶する専用の記憶領域を、ハード的に分離された状態で持ち、前記通報センタとの通信を終了したときに、そのハード的に分離された記憶領域の全情報を消去し、
前記終端装置は、前記ドアホン子器が前記通報センタと通信をするときに情報を記憶する専用の記憶領域を、ハード的に分離された状態で持ち、前記ドアホン子器が前記通報センタと通信を終了したときに、当該終端装置のハード的に分離された記憶領域の全情報を消去する
ことを特徴とする請求項１から９のいずれかに記載の通報システム。
【請求項１１】
前記通報センタは、センタ側操作入力手段と、このセンタ側操作入力手段での操作入力に応じて、前記撮像装置との通信線を専用通信線または公衆通信線のどちらかに切り換える接続経路切換手段とを備えることを特徴とする請求項１から１０のいずれかに記載の通報システム。
【請求項１２】
前記専用通信線のポート数と前記公衆通信線のポート数にはそれぞれ上限があり、前記接続経路切換手段は、前記ポート数の上限を超えないように、一の撮像装置との通信線を公衆通信線から専用通信線に切り換えるとき、別の撮像装置との通信線を専用通信線から公衆通信線に切り換えることを特徴とする請求項１０記載の通報システム。
【発明の詳細な説明】
【０００１】
【発明の属する技術分野】
本発明は、公衆移動通信により携行者の周囲状況を、予め設定された緊急通報先にてモニタ可能とする通報システムに関するものである。
【０００２】
【従来の技術】
従来、この種の通報システムに使用される携帯無線端末が、種々提案されまた市販されている。例えば、緊急通報を行うことが困難である状況下でも、緊急通報することができる携帯無線端末が、本出願人によって別途提案されている（特願２００２−１６８８６５号）。
【０００３】
すなわち、公衆移動通信により信号を送受信する無線送受信手段と、この無線送受信手段によって送受信される送受話信号をそれぞれ入出力する音声入力手段および音声出力手段と、発光表示により動作状況を示す発光手段と、操作入力手段と、この操作入力手段で緊急通報通常モードを選択する操作が行われると、その緊急通報通常モードに移行して、音声入力手段、音声出力手段および発光手段を動作状態に切り換えるとともに、無線送受信手段を通じて、予め設定された緊急通報先への通信を開始する一方、操作入力手段で緊急通報静観モードを選択する操作が行われると、その緊急通報静観モードに移行して、音声入力手段と音声出力手段および発光手段とをそれぞれ動作状態と動作禁止状態とに切り換えるとともに、無線送受信手段を通じて、予め設定された緊急通報先への通信を開始する制御を実行するモード切換制御手段とを備える携帯無線端末が、提案されている。
【０００４】
このような携帯無線端末によれば、緊急通報静観モードに移行して、無線送受信手段を通じて、予め設定された緊急通報先への通信を開始するとき、音声入力手段と音声出力手段および発光手段とをそれぞれ動作状態と動作禁止状態とに切り換えることにより、携帯無線端末の携行者の状況を緊急通報することができるとともに、携帯無線端末が緊急通報していることを周囲の人に悟られないようにすることができるため、緊急通報を行うことが困難である状況下でも、緊急通報することができる。
【０００５】
なお、特許文献１には、不正使用者の逆探知を可能にするべく、使用者認証機能による照合が一致しない場合に、撮像した画像データを外部に送信し且つ通信動作を継続させる携帯無線端末が開示されている。
【０００６】
【特許文献１】
特開２００２−２６１９１４号公報
【０００７】
【発明が解決しようとする課題】
しかしながら、本出願人により別途提案されている上記携帯無線端末では、緊急通報先において、音声から携帯無線端末の携行者の様子を判断しなければならないという問題があった。
【０００８】
この問題は、携帯無線端末に撮像手段を設け、その撮像手段で撮像した画像を緊急通報先に送信し、緊急通報先の表示手段でその画像を表示するようにすれば良いように思えるが、実際の緊急通報、特に緊急通報静観モードで緊急通報をしなければならないような状況で、撮像手段によって適切な画像が撮像されることを期待することができない。
【０００９】
本発明は、上記事情に鑑みてなされたものであり、緊急通報静観モードで緊急通報をしなければならないような状況でも、画像で携行者の様子を確認し得る通報システムを提供することを目的とする。
【００１０】
【課題を解決するための手段】
上記課題を解決するための請求項１記載の発明は、携帯無線端末と、各地に分散している複数の撮像装置と、通報センタとにより構成される通報システムであって、前記携帯無線端末は、信号を送受信する無線送受信手段と、この無線送受信手段によって送受信される送受話信号をそれぞれ入出力する音声入力手段および音声出力手段と、発光表示により動作状況を示す発光手段と、操作入力手段と、ＧＰＳ受信手段と、このＧＰＳ受信手段で受信されたＧＰＳ信号から現在位置を演算により求める現在位置取得手段と、各種モードのうち、緊急通報静観モードに移行した場合には、前記音声入力手段と前記音声出力手段および前記発光手段とをそれぞれ動作状態と動作禁止状態とに切り換えるとともに、前記無線送受信手段を通じて、前記通報センタへの通信を開始し、前記現在位置取得手段によって求められる現在位置の情報および前記音声入力手段によって入力される送話信号を前記通報センタに送信する制御を行うモード切換制御手段とを備え、前記撮像装置は、信号を送受信する撮像側通信手段と、撮像手段と、予め割り当てられた識別情報を記憶する記憶手段と、前記撮像側通信手段を通じて、前記記憶手段に記憶された識別情報とともに撮像指示を受信すると、前記撮像手段で撮像を開始し、その撮像によって得られる画像信号を返信する制御を行う撮像制御手段とを備え、前記通報センタは、前記無線送受信手段と信号を送受信するための第１通信手段と、前記撮像側通信手段と信号を送受信するための第２通信手段と、前記第１通信手段によって送受信される送受話信号をそれぞれ入出力する音声入力手段および音声出力手段と、画像表示手段と、前記複数の撮像装置の各々についてその撮像範囲を決定する撮像範囲情報および識別情報を対応付けて記憶する撮像情報記憶手段と、前記第１通信手段を通じて、前記携帯無線端末と前記緊急通報静観モードで通信を開始した場合には、前記撮像情報記憶手段から、前記携帯無線端末の現在位置を撮像範囲に含む撮像範囲情報を抽出し、その撮像範囲情報に対応付けられた識別情報を読み出し、前記第２通信手段を通じて、読み出した識別情報とともに撮像指示をその識別情報の撮像装置に送信することにより、その撮像装置から画像信号を受信し、その画像信号を用いて前記画像表示手段に画像を表示する制御を行う撮像表示制御手段とを備えることを特徴とする。
【００１１】
この構成では、緊急通報静観モードに移行すると、携帯無線端末における音声入力手段および音声出力手段がそれぞれ動作状態および動作禁止状態に切り換えられるとともに、無線送受信手段を通じて、通報センタへの通信が開始されるので、緊急通報していることが、周囲の人に悟られないようになる。これにより、緊急通報を行うことが困難である状況下でも、緊急通報することができる。しかも、各地に分散している複数の撮像装置のうち、携帯無線端末の現在位置を撮像範囲に含む撮像装置で撮像された画像が、通報センタの画像表示手段に表示されるので、緊急通報静観モードで緊急通報をしなければならないような状況でも、画像で携行者の様子を確認することが可能になる。
【００１２】
請求項２記載の発明は、請求項１記載の通報システムにおいて、前記通報センタは、前記第１通信手段を通じて、前記携帯無線端末と前記緊急通報静観モードで通信を開始した場合には、現在位置情報の送信を要求する所定の要求コマンドを送信し、前記携帯無線端末は、前記無線送受信手段を通じて、前記通報センタへの通信を開始した場合に、前記通報センタから前記要求コマンドを受信した後に前記現在位置の情報を前記通報センタに送信することを特徴とする。この構成では、通報センタが望むときに携帯無線端末の現在位置を知ることができるようになる。
【００１３】
請求項３記載の発明は、請求項１または２記載の通報システムにおいて、前記撮像装置は、ドアホン子器であることを特徴とする。この構成では、より多くの撮像装置が各地に分散するようになる。これにより、全体の撮像範囲を拡大することができる。
【００１４】
請求項４記載の発明は、請求項１または２記載の通報システムにおいて、前記撮像装置は、街中に設置されたカメラであることを特徴とする。この構成では、画像がより好適に撮像されるようになる。
【００１５】
請求項５記載の発明は、請求項１または２記載の通報システムにおいて、前記通報センタは、予め、前記携帯無線端末の携行者を様々な角度から撮像して得た画像を、特定画像としてその携帯無線端末の識別情報に対応付けて記憶する画像記憶手段を備え、前記第２通信手段を通じて、前記撮像装置の識別情報とともに撮像指示を送信する際に、前記画像記憶手段から、通信中の携帯無線端末の識別情報に対応付けられた特定画像を読み出して送信し、前記撮像装置は、前記通報センタからの特定画像に対応する画像が前記撮像手段の撮像によって得られる画像信号に含まれているか否かの判別を行う判別手段を備え、前記撮像手段の撮像によって得られる画像信号を送信する際に、前記判別結果を送信することを特徴とする。この構成では、例えば通報センタにおいて、判別結果を画像とともに画像表示手段に表示することにより、画像に携行者が映っているかどうかを容易に確認することができるようになる。
【００１６】
請求項６記載の発明は、請求項１または２記載の通報システムにおいて、前記通報センタは、予め、前記携帯無線端末の携行者を様々な角度から撮像して得た画像を、特定画像としてその携帯無線端末の識別情報に対応付けて記憶する画像記憶手段と、前記第２通信手段を通じて、前記撮像装置から画像信号が得られた場合に、前記画像記憶手段から、通信中の携帯無線端末の識別情報に対応付けられた特定画像を読み出し、この特定画像に対応する画像が前記撮像装置からの画像信号に含まれているか否かの判別を行う判別手段とを備えることを特徴とする。この構成でも、例えば通報センタにおいて、判別結果を画像とともに画像表示手段に表示することにより、画像に携行者が映っているかどうかを容易に確認することができるようになる。
【００１７】
請求項７記載の発明は、請求項５または６記載の通報システムにおいて、前記通報センタは、画像信号から画像の特徴を抽出してそれを強調した特徴強調画像を生成する画像処理手段と、その特徴強調画像を特定画像として記憶する特徴強調画像記憶手段とを備え、前記第１通信手段を通じて、前記特定画像用の画像信号を受信すると、その画像信号から前記画像処理手段によって特徴強調画像を生成してこれを返信する機能を持ち、この機能で特徴強調画像を生成したときに、これをその携帯無線端末の識別情報に対応付けて前記特徴強調画像記憶手段に予め記憶することを特徴とする。この構成では、動作時において、携帯無線端末から通報センタに特徴強調画像を転送しなくて済むため、緊急通報時に迅速に対処することができるようになる。
【００１８】
請求項８記載の発明は、請求項７記載の通報システムにおいて、前記特定画像は、前記携行者の恐怖または不安時の顔の画像であることを特徴とする。この構成では、緊急通報静観モード時に恐怖または不安に感じても、恐怖または不安時の顔の画像を特定画像として予め記憶しているため、撮像によって得られた画像の内容が、予め記憶された特定画像の内容に対応するかどうかを好適に判別することができるようになる。
【００１９】
請求項９記載の発明は、請求項７記載の通報システムにおいて、前記特定画像は、予め決められたサインを表す特定の動きをした携行者の画像であることを特徴とする。この構成では、その特定の動きが何を示すのかの情報を通報センタに予め通知しておけば、どのような状況であるかを通報センタに知らせることができるようになる。
【００２０】
請求項１０記載の発明は、請求項１から９のいずれかに記載の通報システムにおいて、前記撮像装置は、終端装置を介して専用通信線または公衆通信線に接続されるドアホン子器であり、前記ドアホン子器は、前記通報センタと通信をするときに情報を記憶する専用の記憶領域を、ハード的に分離された状態で持ち、前記通報センタとの通信を終了したときに、そのハード的に分離された記憶領域の全情報を消去し、前記終端装置は、前記ドアホン子器が前記通報センタと通信をするときに情報を記憶する専用の記憶領域を、ハード的に分離された状態で持ち、前記ドアホン子器が前記通報センタと通信を終了したときに、当該終端装置のハード的に分離された記憶領域の全情報を消去することを特徴とする。この構成では、携帯無線端末の緊急通報時に転送された情報を簡単に消去することができるようになる。また、撮像装置で得られた緊急通報時の情報を消去することにより、携行者の秘密を保持することができる。
【００２１】
請求項１１記載の発明は、請求項１から１０のいずれかに記載の通報システムにおいて、前記通報センタは、センタ側操作入力手段と、このセンタ側操作入力手段での操作入力に応じて、前記撮像装置との通信線を専用通信線または公衆通信線のどちらかに切り換える接続経路切換手段とを備えることを特徴とする。この構成では、例えば通信線を公衆通信線から専用通信線に切り換えることにより、大容量の画像信号を安定して供給することができるようになる。
【００２２】
請求項１２記載の発明は、請求項１０記載の通報システムにおいて、前記専用通信線のポート数と前記公衆通信線のポート数にはそれぞれ上限があり、前記接続経路切換手段は、前記ポート数の上限を超えないように、一の撮像装置との通信線を公衆通信線から専用通信線に切り換えるとき、別の撮像装置との通信線を専用通信線から公衆通信線に切り換えることを特徴とする。この構成では、通信線を公衆通信線から専用通信線に切り換えることにより、大容量の画像信号を安定して供給することができるようになる。
【００２３】
【発明の実施の形態】
（第１実施形態）
図１は本発明による第１実施形態の通報システムの構成図、図２は同通報システムにおけるドアホン子器の構成図である。
【００２４】
第１実施形態の通報システムは、図１に示すように、携帯無線端末１と、各地に分散している複数の撮像装置（図１の例ではテレビ局Ａが所有する街中観測用のカメラ３および民家Ｂに設置されるカメラ付きのドアホン子器４）と、複数の撮像装置のうちのドアホン子器４を専用通信線Ｌ１または公衆通信線Ｌ２に接続するための終端装置（システム）５と、通報センタのセンタ装置２とにより構成され、携帯無線端末１から通報センタのセンタ装置２に無線で緊急通報を行うようにしたものである。なお、図１において、６はドアホン子器４と接続されるインタホン親器であり、７はＧＰＳ衛星であり、Ｎはインターネットを含む公衆通信網であり、この公衆通信網上の黒丸はアクセスポイントである。
【００２５】
携帯無線端末１は、予め設定された緊急通報先としての通報センタに無線で緊急通報を行うためのものであり、無線送受信部１１と、マイク部１２と、スピーカ部１３と、発光部１４と、操作入力部１５と、撮像カメラ１６と、記憶部１７と、ＧＰＳ受信部１８と、制御部１０とを備えている。なお、電源は、電池またはバッテリが使用される。
【００２６】
無線送受信部１１は、アンテナを含み、例えばデータ通信が可能なＰＨＳなどと同様に構成され、公衆移動通信により信号を送受信するものである。
【００２７】
マイク部１２は、例えば、マイクと、このマイクで入力された周囲の音や携帯無線端末１の携行者の声などの音声信号を増幅する増幅器と、この増幅器で増幅された音声信号を音声データにＡ／Ｄ変換するＡ／Ｄ変換器とにより構成され、無線送受信部１１によって送信される送話信号を入力するものである。
【００２８】
スピーカ部１３は、例えば、無線送受信部１１からの音声データをアナログの音声信号にＤ／Ａ変換するＤ／Ａ変換器と、このＤ／Ａ変換器によって変換された音声信号を増幅する増幅器と、この増幅器で増幅された音声信号を出力するスピーカとにより構成され、無線送受信部１１によって受信される受話信号を音声で出力するものである。
【００２９】
発光部１４は、例えばＬＥＤなどにより構成され、その発光表示により携帯無線端末１の動作状況を示すものである。例えば、通信状態、緊急通報通常モードが選択されている状態などが発光表示によって示される。
【００３０】
操作入力部１５は、例えば、通常モード用スイッチおよび静観モード用スイッチなどにより構成され、緊急通報通常モードおよび緊急通報静観モードなどの各種モードのいずれかを選択するためのものである。そして、通常モード用スイッチおよび静観モード用スイッチのうち、少なくとも静観モード用スイッチは、撮像カメラ１６のシャッタボタンとして機能するようになっている。つまり、静観モード用スイッチを押下すると、撮像カメラ１６によって撮像が行われるのである。第１実施形態では、通常モード用スイッチおよび静観モード用スイッチの双方が、シャッタボタンとして機能するようになっているとする。
【００３１】
撮像カメラ１６は、第１実施形態では、通常モード用スイッチまたは静観モード用スイッチの押下に応じて、画像の撮像を行うものであり、例えば、フラッシュを具備しない赤外線（赤外帯域）カメラにより構成される。
【００３２】
記憶部１７は、例えば読み書き可能な半導体記憶装置により構成され、撮像カメラ１６を用いて得られる携行者特定用の特定画像を予め記憶している。
【００３３】
ＧＰＳ受信部１８は、ＧＰＳ衛星５からのＧＰＳ信号を受信するためのものである。
【００３４】
制御部１０は、ＣＰＵ、ＲＡＭおよびＲＯＭ（全体的な制御ソフト、画像処理ソフトおよび一致度判定ソフトなどを格納）などにより構成され、携帯無線端末１全般の制御などの処理を実行するものであり、登録機能１０１、携行者判定機能１０２、現在位置取得機能１０３およびモード切換制御機能１００などを有している。
【００３５】
登録機能１０１は、撮像カメラ１６を用いて得られる携行者特定用の特定画像を予め記憶部１７に記憶するための各処理を実行するものである。すなわち、操作入力部１５で特定画像を記憶部１７に記憶するための操作が行われたときに、撮像カメラ１６で撮像を行う処理と、その撮像によって得られた画像情報を記憶部１７に一時記憶する処理と、記憶部１７に一時記憶した画像情報を含む画像信号を、無線送受信部１１を通じて通報センタのセンタ装置２に送信する処理と、上記画像信号をセンタ装置２に送信することにより、センタ装置２から返信されてくる特徴強調画像情報を、無線送受信部１１を通じて受信する処理と、その受信した特徴強調画像情報を特定画像情報として記憶部１７に記憶（登録）する処理とが実行される。上記撮像を行う処理のとき、携帯無線端末１の携行者（所有者）の画像が様々な角度で（四方八方から）撮像される。
【００３６】
携行者判定機能１０２は、操作入力部１５で通常モード用スイッチまたは静観モード用スイッチが押下され、緊急通報通常モードまたは緊急通報静観モードを選択する操作が行われたときに、そのモードへの移行の許否を判定するものである。具体的には、上記操作が行われたときに、撮像カメラ１６で撮像を行い、その撮像によって得られた画像の内容が、記憶部１７に予め記憶された特定画像の内容に対応するか、対応しないかを判別し、対応すれば、緊急通報通常モードまたは緊急通報静観モードへの移行を許可する処理が実行される。一方、対応しなければ、緊急通報通常モードまたは緊急通報静観モードへの移行を禁止する処理が実行される。要するに、撮像カメラ１６の撮像によって得られた画像と記憶部１７に予め記憶された特定画像とを用いて、画像認識によって、撮像カメラ１６の撮像によって得られた画像に含まれるもの（人や物）が、記憶部１７に予め記憶された特定画像に含まれるものと同じものであるか、そうでないかの認識（認証）を行い、その認識結果に応じて、上記各モードへの移行の許否を行うのである。
【００３７】
現在位置取得機能１０３は、ＧＰＳ受信部１８で受信されたＧＰＳ信号から現在位置を演算により求める処理を実行するものである。なお、現在位置取得機能１０３は、ＧＰＳ受信部１８内に設けられ、緯度、経度等の現在位置情報をＧＰＳ受信部が出力する構成でもよい。あるいは、ＧＰＳ受信部がＧＰＳ信号から緯度、経度等の現在位置を求め、現在位置取得機能がその緯度、経度等の現在位置から住所等の現在位置を求める構成でもよい。なお、住所等の現在位置は、通報センタで求めることができるので、携帯無線端末で必ずしも求める必要はない。
【００３８】
モード切換制御機能１００は、携行者判定機能１０２による許否に応じて、緊急通報通常モードまたは緊急通報静観モードに切り換え、そのモードに応じた緊急通報の制御を実行するものである。具体的には、携行者判定機能１０２で緊急通報通常モードへの移行が許可されると、緊急通報通常モードに移行して、マイク部１２、スピーカ部１３、発光部１４およびＧＰＳ受信部１８を動作状態に切り換えるとともに、無線送受信部１１を通じて、予め設定された緊急通報先への通信を開始する各処理が実行される。一方、携行者判定機能１０２で緊急通報静観モードへの移行が許可されると、緊急通報静観モードに移行して、マイク部１２およびＧＰＳ受信部１８とスピーカ部１３および発光部１４とをそれぞれ動作状態と動作禁止状態とに切り換えるとともに、無線送受信部１１を通じて、予め設定された緊急通報先への通信を開始する各処理が実行される。
【００３９】
そして、少なくとも緊急通報静観モードの場合のみでもよいが、第１実施形態では、緊急通報通常モードおよび緊急通報静観モードの場合に、通報センタに対して、現在位置取得機能１０３で求められた現在位置情報を送信するほか、記憶部１７に記憶されている特定画像または撮像カメラ１６の撮像によって得られる画像の情報を含む画像信号を送信する処理が実行される。現在位置情報は、緊急通報通常モードまたは緊急通報静観モードの移行時に送信される場合、緊急通報通常モードまたは緊急通報静観モード時に定期的に送信される場合、通報センタから現在位置情報の送信を要求する所定の要求コマンドを受信したときに送信される場合とがある。
【００４０】
なお、携行者判定機能１０２で上記各モードへの移行が禁止された場合には、モード切換制御機能１００は動作しないようになっている。
【００４１】
次に、複数の撮像装置のうち、まずカメラ３について説明する。なお、カメラ３は、テレビ局Ａが所有する街中観測用のカメラに限らず、街中に設置される監視カメラなどをも含むとする。これらは通常高所に設置される。
【００４２】
カメラ３は、信号を送受信する通信部３１と、撮像用の撮像部３２と、このフォーカス（ズーム）、パンおよびチルトなどの駆動をする駆動部３３と、予め割り当てられた当該カメラ３の識別情報などを記憶する記憶部３４とを備えているほか、制御部３０を備えている。
【００４３】
制御部３０は、ＣＰＵ、ＲＡＭおよびＲＯＭなどにより構成され、カメラ３全般の制御などの処理を実行するものである。例えば、通信部３１を通じて、記憶部３４に記憶された識別情報とともに、撮像指示（コマンド）を受信すると撮像部３２で撮像を開始し、フォーカス、パンおよびチルトなどの各種駆動指示（コマンド）を受信すると、その駆動指示に従って駆動部３３を介して撮像部３２の駆動をする各処理が実行される。
【００４４】
また、画像認識技術を用いて、通報センタからの特定画像に対応する画像が撮像部３２の撮像によって得られる画像信号に含まれているか否かの判別を行い、その判別結果を、撮像部３２の撮像によって得られる画像信号とともに返信する処理が実行される。つまり、画像認識で、通報センタからの特定画像に含まれるものが、撮像部３２の撮像によって得られる画像信号に含まれるものと同じであるか、そうでないかの認識（認証）結果が返信されるのである。
【００４５】
そして、図１の例では、テレビ局Ａが、通信線Ｌ３を介して通報センタのセンタ装置２と接続され、カメラ３が、通信線Ｌ４を介してセンタ装置２と接続されている。通信線Ｌ３は、専用通信線または公衆通信線であり、テレビ局Ａがセンタ装置２からカメラ３の使用を求める要求を受け、センタ装置２がテレビ局Ａからその要求の応答を受けるために使用される。通信線Ｌ４は、専用通信線であり、センタ装置２がテレビ局Ａの許可の下りたカメラ３と双方向の通信をするために使用される。
【００４６】
次に、ドアホン子器４について説明する。ドアホン子器４は、図２に示すように、例えばＩＰアドレスを用いるＩＰパケットにて信号を送受信する通信インタフェース４１と、撮像用の撮像カメラ４２と、このフォーカス、パンおよびチルトなどの駆動をする駆動部４３と、上述のマイク部１２およびスピーカ部１３と同様のマイク部４４およびスピーカ部４５と、ＬＥＤなどにより構成され発光表示によりドアホン子器４の動作状況を示す発光部４６と、通報センタからの遠隔制御時にスピーカ部１３および発光部４６（図略のブザーなど）への電源供給を停止するための静観用の電源制御部４７とを備えているほか、記憶部４８と、主制御部４０とを備えている。なお、電源としては、商用電源を整流および平滑などする直流電源が設けられる。
【００４７】
記憶部４８は、当該ドアホン子器４の識別情報を常時記憶しているほか、撮像カメラ４２からの画像情報およびマイク部４４からの音声データを一時記憶するようになっている。また、図２において、「通常時画像音声取得情報用記憶部」は、ドアホン子器４が通常の方法で使用される場合に各種情報を記憶するメモリによる記憶部を示し、「センタ時画像音声取得情報用記憶部」は、通報センタによって遠隔操作される場合に各種情報を記憶するメモリによる記憶部を示しており、それら双方のメモリはハード的に分離されている（別体である）。そして、「センタ時画像音声取得情報用記憶部」内の情報は、通報センタによる遠隔操作の終了時点で消去される。
【００４８】
主制御部４０は、ＣＰＵ、ＲＡＭおよびＲＯＭなどにより構成され、ドアホン子器４全般の制御などの処理を実行するものである。例えば、通信インタフェース４１を通じて、記憶部４８に記憶された識別情報とともに、撮像指示（コマンド）を受信すると撮像カメラ４２で撮像を開始し、フォーカス、パンおよびチルトなどの各種制御指示（コマンド）を受信すると、その制御指示に従って駆動部４３を介して撮像カメラ４２の駆動状態を制御する各処理が実行される。
【００４９】
また、画像認識技術を用いて、通報センタからの特定画像に対応する画像が撮像カメラ４２の撮像によって得られる画像信号に含まれているか否かの判別を行い、その判別結果を、撮像カメラ４２の撮像によって得られる画像信号とともに返信する処理が実行される。
【００５０】
そして、図１の例では、ドアホン子器４が終端装置（システム）５を介して専用通信線Ｌ１または公衆通信線Ｌ２に接続され、この専用通信線Ｌ１または公衆通信線Ｌ２を介してセンタ装置２に接続されるようになっている。光ファイバなどの専用通信線Ｌ１に接続される終端装置５は、専用通信線Ｌ１の終端用の装置であり、画像サーバなども含むシステムになっている。他方、公衆通信線Ｌ２に接続される終端装置５は、公衆通信線Ｌ２の終端用の装置であり、ＮＣＵ（網制御装置）のほか、ハブ、ルータ、ゲートウェイ、画像サーバなどを含むシステムになっている。また、それらの終端装置５は、いずれも、ドアホン子器４と同様に、通常使用時と遠隔操作時とで情報を格納する領域がハード的に分離されており、ドアホン子器４が通報センタと通信を終了したときに、遠隔操作時に情報を格納する領域内を全て消去するようになっている。
【００５１】
なお、ドアホン子器４には、図２に示すように、撮像カメラ４２の向きやフォーカスを制御することができるもののほか、その駆動機構を持たず、撮像カメラ４２の向きやフォーカスが固定のものもあり、各地に分散している。また、カメラ３およびドアホン子器４の識別情報は、パスワードの機能を含んでもよく、あるいは識別情報とともにパスワードを別途併用するようにしてもよい。
【００５２】
次に、図１に示すセンタ装置２について説明する。センタ装置２は、例えば、キーボードおよびマウスなどの入力装置、ＣＲＴまたはＬＣＤなどの表示装置、ハードディスクおよびファイルサーバなどの大容量記憶装置、通信インタフェース、および音声入出力装置などの各種装置と外部ないし内部接続されたワークステーションなどの高性能なコンピュータである。
【００５３】
そして、センタ装置２には、第１実施形態の特徴として、携帯無線端末１の無線送受信部１１と信号を送受信するための通信部２１と、画像信号から画像の特徴を抽出してそれを強調した特徴強調画像を生成する画像処理部２２と、操作入力部２３とが設けられているほか、記憶部２４と、通信インタフェース２５と、制御部２０とが設けられている。なお、図１の例では、通信部２１は、双方向で通話およびデータ通信が可能な、無線通信部２１１および有線通信部２１２により構成されている。
【００５４】
記憶部２４は、各種情報を記憶するものであり、予め、各携帯無線端末１の識別情報（ＩＤ）を記憶しているほか、カメラ子器位置データとして、撮像装置毎に撮像範囲を決定する撮像範囲情報および識別情報（またはＩＰアドレス）を対応付けて記憶している。また、携行者画像として、後述の特徴強調画像返信機能２０１で特徴強調画像が生成されたときに、その特徴強調画像が、特定画像として、その返信先の携帯無線端末１の識別情報に対応付けられて記憶される。さらに、通信中の携帯無線端末１の測位情報も一時記憶される。
【００５５】
ここで、上記撮像範囲情報は、撮像装置の位置情報（緯度、経度情報）およびその撮像範囲を決定する例えば撮像可能距離情報であってもよく、また例えば、撮像装置の撮像範囲の外縁を示す複数の位置情報であってもよい。これらいずれの場合も、撮像範囲に携帯無線端末１の現在位置が入れば、換言すると、携帯無線端末１の現在位置からの所定距離内に撮像装置が入っており、その所定距離内がその撮像装置の撮像可能距離内であれば、携行者の撮像が可能となる。
【００５６】
通信インタフェース２５は、各撮像装置と通信するためのものであり、専用通信線Ｌ１、公衆通信線Ｌ２および通信線Ｌ３，Ｌ４を介して、テレビ局Ａ、カメラ３およびドアホン子器４と双方向通信する構成になっている。また、各種通信線と接続されるため、テレビ局の識別情報や撮像装置の識別情報に応じて、各種通信線のうち、撮像装置の識別情報を送信するべき通信線に切り換える接続経路切換部２５１が設けられている。接続経路切換部２５１を、例えばＩＯポートを取り仕切るドライバソフトウェアなどで構成すると、例えばポートがフルであれば、休止中の撮像装置への通信路を切り離すなどして、送信するべき撮像装置の識別情報に応じて、その撮像装置と接続される通信線の種別に合わせて通信路を自動的に切り換えることになる。音声も同様である。なお、通信インタフェース２５の公衆通信線Ｌ２は、アクセスポイントに優先的に接続されるようになっている。
【００５７】
制御部２０は、第１実施形態の通報システム全般の制御などの処理を実行するものであり、携帯無線端末１の緊急通報通常モードおよび緊急通報静観モードにそれぞれ対応するための各機能を持っているほか、特徴強調画像返信機能２０１、測位情報取得機能２０２および撮像遠隔制御機能２０３とを有している。
【００５８】
特徴強調画像返信機能２０１は、通信部２１を通じて、特定画像用の画像信号を受信すると、その画像信号から画像処理部２２によって特徴強調画像を生成してこれを返信する処理を実行するものである。
【００５９】
測位情報取得機能２０２は、通信部２１を通じて、携帯無線端末１の測位情報を取得し、これを記憶部２４に一時記憶するとともに表示装置に表示する処理を実行するものである。測位情報は、携帯無線端末１の主導で送信されてくる場合と、センタ装置２の主導で送信要求される場合とがある。後者の場合、操作入力部２３で測位情報の送信を要求する操作が行われると、通信部２１を通じて、現在位置情報の送信を要求する所定の要求コマンドを通信中の携帯無線端末１に送信することにより、その携帯無線端末１から送信されてくる測位情報を取得する処理が実行される。
【００６０】
撮像遠隔制御機能２０３は、測位情報取得機能２０２で取得された測位情報を基に、記憶部２４から、通信中の携帯無線端末１の現在位置を撮像範囲に含む撮像範囲情報を抽出し、その撮像範囲情報に対応付けられた識別情報を読み出す処理と、通信インタフェース２５を通じて、読み出した識別情報とともに撮像指示（撮像範囲が固定の撮像装置に対しては撮像指示、撮像範囲が可動の撮像装置に対しては撮像対象となる携帯無線端末１の現在位置を含む撮像指示）をその識別情報の撮像装置に送信することにより、その撮像装置から画像信号を受信し、その画像信号を用いて表示装置に画像を表示する処理と、操作入力部２３での遠隔操作に応じて、フォーカス、パンおよびチルトなどの各種駆動指示を、通信インタフェース２５を通じて通信中の撮像装置に送信する処理とを実行する。また、上記撮像指示を送信する際、記憶部２４から通信中の携帯無線端末１の識別情報に対応付けられた特定画像を読み出して送信し、これにより撮像装置から送信されてくる判別結果を、画像とともに表示装置に表示する処理が実行される。
【００６１】
次に、第１実施形態の動作について説明する。先ず、特定画像を予め記憶部１７に記憶するための動作について説明する。予め、操作入力部１５で特定画像を記憶部１７に記憶するための操作を行うと、登録モードに移行して、撮像カメラ１６で撮像が行われる。続いて、その撮像によって得られた画像情報が記憶部１７に一時記憶されるとともに、無線送受信部１１を通じて、予め設定された通報センタ（センタ装置２）への通信が開始する。
【００６２】
この後、無線送受信部１１を通じて、通報センタから認証用のＩＤ要求を受けると、記憶部１７に一時記憶した画像情報を含む画像信号が、携帯無線端末１に割り当てられているＩＤおよび登録モードであることを示す状態情報とともに通報センタに送信される。
【００６３】
この後、通報センタにおいて、適正な認証結果が得られると、状態情報に従って、通信部２１を通じて受信した画像信号から、画像処理部２２によって、携帯無線端末１での画像認識処理を実行しやすいように、特徴を抽出して強調した特徴強調画像が生成される。
【００６４】
この後、携帯無線端末１において、通報センタから返信されてくる特徴強調画像が、無線送受信部１１を通じて受信されると、一時記憶した上記画像が消去されるとともに、特徴強調画像が特定画像として記憶部１７に記憶される。そして、発光部１４によって、特定画像が記憶部１７に記憶されたことを示す表示がなされる。続いて待機モードに移行する。
【００６５】
次に、待機モードから緊急通報通常モードへの移行動作について説明する。携帯無線端末１において、操作入力部１５で通常モード用スイッチが押下されると、撮像カメラ１６で撮像が行われ、その撮像によって得られた画像の内容が、記憶部１７に予め記憶された特定画像の内容に対応するか、対応しないかの判別が行われる。
【００６６】
そして、撮像カメラ１６の撮像によって得られた画像の内容が、記憶部１７に予め記憶された特定画像の内容に対応する、という判別結果が得られれば、緊急通報通常モードへの移行が許可される。この後、緊急通報通常モードに移行し、マイク部１２、スピーカ部１３、発光部１４およびＧＰＳ受信部１８が動作状態に切り換わり、無線送受信部１１を通じて、通報センタへの通信が開始する。この後、無線送受信部１１を通じて、通報センタから認証用のＩＤ要求を受けると、携帯無線端末１に割り当てられているＩＤ、緊急通報通常モードであることを示す状態情報および現在位置取得機能１０３で求められた現在位置情報が、通報センタに送信される。
【００６７】
この後、通報センタにおいて、適正な認証結果が得られると、携帯無線端末１と通報センタとの間で双方向のデータ通信／音声通話が実行される。この緊急通報通常モードにおいて、通信部２１を通じて、現在位置取得機能１０３で求められた現在位置情報を受信すると、その現在位置情報を基に、記憶部２４から、携帯無線端末１の現在位置を撮像範囲に含む撮像範囲情報が抽出され、その撮像範囲情報に対応付けられた識別情報が読み出される。この後、通信インタフェース２５を通じて、読み出された識別情報とともに撮像指示がその識別情報の撮像装置に送信され、これによりその撮像装置から送信されてくる画像信号が受信されると、その画像信号で表示装置に画像が表示される。そして、操作入力部２３での遠隔操作に応じて、フォーカス、パンおよびチルトなどの各種駆動指示が、通信インタフェース２５を通じて通信中の撮像装置に送信されることにより、表示装置に表示している画像が所望する場所の画像ないし所望する大きさの画像に切り替わる。
【００６８】
つまり、緊急通報通常モードの場合には、通報センタにおいて、携帯無線端末１を通して携行者と双方向の通話が可能になるとともに、遠隔制御された撮像装置を通して携行者側の様子を表示装置の画像で伺い知ることができるのである。
【００６９】
次に、待機モードから緊急通報静観モードへの移行動作について説明する。携帯無線端末１において、操作入力部１５で静観モード用スイッチが押下されると、撮像カメラ１６で撮像が行われ、その撮像によって得られた画像の内容が、記憶部１７に予め記憶された特定画像の内容に対応するか、対応しないかの判別が行われる。
【００７０】
そして、撮像カメラ１６の撮像によって得られた画像の内容が、記憶部１７に予め記憶された特定画像の内容に対応する、という判別結果が得られれば、緊急通報静観モードへの移行が許可される。この後、緊急通報静観モードに移行し、マイク部１２およびＧＰＳ受信部１８とスピーカ部１３および発光部１４とがそれぞれ動作状態と動作禁止状態とに切り換わり、無線送受信部１１を通じて、通報センタへの通信が開始する。この後、無線送受信部１１を通じて、通報センタから認証用のＩＤ要求を受けると、携帯無線端末１に割り当てられているＩＤ、緊急通報静観モードであることを示す状態情報および現在位置取得機能１０３で求められた現在位置情報が、通報センタに送信される。
【００７１】
この後、通報センタにおいて、適正な認証結果が得られると、携帯無線端末１と通報センタとの間でデータ通信／音声通話が実行される。このとき、データ通信は双方向であるが、音声通話は、実質的に携帯無線端末１から通報センタ２への片方向となる。この緊急通報静観モードにおいて、通信部２１を通じて、現在位置取得機能１０３で求められた現在位置情報を受信すると、その現在位置情報を基に、記憶部２４から、携帯無線端末１の現在位置を撮像範囲に含む撮像範囲情報が抽出され、その撮像範囲情報に対応付けられた識別情報が読み出される。この後、通信インタフェース２５を通じて、読み出された識別情報とともに撮像指示がその識別情報の撮像装置に送信され、これによりその撮像装置から送信されてくる画像信号が受信されると、その画像信号で表示装置に画像が表示される。そして、操作入力部２３での遠隔操作に応じて、フォーカス、パンおよびチルトなどの各種駆動指示が、通信インタフェース２５を通じて通信中の撮像装置に送信されることにより、表示装置に表示している画像が所望する場所の画像ないし所望する大きさの画像に切り替わる。なお、携帯無線端末１が移動すれば、撮像装置が別の撮像装置に切り替わることになる。
【００７２】
つまり、緊急通報静観モードの場合には、通報センタにおいて、携帯無線端末１を通して携行者側からの音声を聞くことが可能になるとともに、遠隔制御された撮像装置を通して携行者側の様子を表示装置の画像で伺い知ることができるのである。
【００７３】
以上、第１実施形態によれば、測位情報取得機能２０２で取得された測位情報を基に、記憶部２４から、携帯無線端末１の現在位置を撮像範囲に含む撮像範囲情報を抽出し、その撮像範囲情報に対応付けられた識別情報を読み出し、通信インタフェース２５を通じて、読み出した識別情報とともに撮像指示をその識別情報の撮像装置に送信することにより、その撮像装置から画像信号を受信し、その画像信号用いて表示装置に画像を表示するので、緊急通報静観モードで緊急通報をしなければならないような状況でも、画像で携行者の様子を確認することができる。
【００７４】
また、通報センタが、通信部２１を通じて、携帯無線端末１と緊急通報静観モードまたは緊急通報通常モードで通信を開始した場合には、現在位置情報の送信を要求する所定の要求コマンドを送信し、携帯無線端末１が、無線送受信部１１を通じて、通報センタへの通信を開始した場合に、通報センタから上記要求コマンドを受信した後に現在位置の情報を通報センタに送信するので、通報センタが望むときに携帯無線端末１の現在位置を知ることが可能となる。
【００７５】
また、通報センタが、予め、携帯無線端末１の携行者を様々な角度から撮像して得た画像を、特定画像としてその携帯無線端末１の識別情報に対応付けて記憶する記憶部２４を備え、通信インタフェース２５を通じて、撮像装置の識別情報とともに撮像指示を送信する際に、記憶部２４から、通信中の携帯無線端末１の識別情報に対応付けられた特定画像を読み出して送信し、撮像装置が、通報センタからの特定画像に対応する画像が撮像部３２または撮像カメラ４２の撮像によって得られる画像信号に含まれているか否かの判別を行い、その判別結果を、撮像部３２または撮像カメラ４２の撮像によって得られる画像信号とともに返信するので、通報センタにおいて、判別結果を画像とともに表示装置に表示することにより、画像に携行者が映っているかどうかを容易に確認することができる。
【００７６】
また、通報センタが、画像信号から画像の特徴を抽出してそれを強調した特徴強調画像を生成する画像処理部２２と、その特徴強調画像を特定画像として記憶する記憶部２４とを備え、通信部２１を通じて、特定画像用の画像信号を受信すると、その画像信号から画像処理部２２によって特徴強調画像を生成してこれを返信する特徴強調画像返信機能２０１を持ち、この機能で特徴強調画像を生成したときに、これをその携帯無線端末１の識別情報に対応付けて記憶部２４に予め記憶するので、動作時において、携帯無線端末１から通報センタに特徴強調画像を転送しなくて済むため、緊急通報時に迅速に対処することが可能になる。
【００７７】
さらに、ドアホン子器４が、通報センタと通信をするときに情報を記憶する専用の記憶領域（センタ時画像音声取得情報用記憶部）をハード的に分離された状態で持ち、通報センタとの通信を終了したときに、そのハード的に分離された記憶領域の全情報を消去し、また、終端装置も、同一ＬＡＮ下のドアホン子器４が通報センタと通信をするときに情報を記憶する専用の記憶領域をハード的に分離された状態で持ち、それらドアホン子器４が通報センタと通信を終了したときに、当該終端装置のハード的に分離された記憶領域の全情報を消去するので、携帯無線端末１の緊急通報時に転送された情報を簡単に消去することができる。
【００７８】
（第２実施形態）
本発明による第２実施形態の通報システムは、第１実施形態とほぼ同様に構成され、通報センタが、記憶部２４を第１実施形態と同様に備え、通信インタフェース２５を通じて、撮像装置から画像信号が得られた場合に、記憶部２４から、通信中の携帯無線端末の識別情報に対応付けられた特定画像を読み出し、画像処理部２２を利用して、その特定画像に対応する画像が撮像装置からの画像信号に含まれているか否かの判別を行うことを特徴とする。ただし、撮像装置には、画像認識技術を用いて判別を行う機能は設けられず、認識結果を返信することもない。
【００７９】
この構成でも、通報センタにおいて、判別結果を画像とともに表示装置に表示することにより、画像に携行者が写っているかどうかを容易に確認することができる。
【００８０】
（第３実施形態）
本発明による第３実施形態の通報システムは、第１実施形態または第２実施形態の一具体例として、記憶部１７および記憶部２４に記憶される特定画像が、携行者の恐怖または不安時の顔の画像であることを特徴とする。
【００８１】
この構成では、緊急通報静観モードまたは緊急通報通常モード時に恐怖または不安に感じても、恐怖または不安時の顔の画像を特定画像として予め記憶しているため、撮像によって得られた画像の内容が、予め記憶された特定画像の内容に対応するかどうかを好適に判別することができる。
【００８２】
なお、特定画像は、恐怖または不安時の顔の画像に限らず、例えば、ウインクや首を決まった方向へ向けるなどの予め決められたサインを表す特定の動きをした携行者の画像でもよい。この場合、その特定の動きが何を示すのかの情報を通報センタに予め通知しておけば、どのような状況であるかを通報センタに知らせることができる。
【００８３】
（第４実施形態）
本発明による第４実施形態の通報システムは、第１実施形態との相違点として、通報センタの接続経路切換部２５１が、入力装置での操作入力に応じて、撮像装置との通信線を専用通信線または公衆通信線のどちらかに切り換えることを特徴とする。つまり、通報センタは、一の撮像装置側と専用通信線または公衆通信線のどちらかに切り換えて接続することができるように、その一の撮像装置側と専用通信線および公衆通信線で接続されているのである。
【００８４】
例えば、通報センタでの表示装置で複数の撮像装置から得た画像を見ていたときに、携行者の姿を好適に捉えるドアホン子器４があった場合に、そのドアホン子器４との通信線が公衆通信線Ｌ２であったとすれば、そのドアホン子器４との通信線を専用通信線Ｌ１に切り換えるのである。これにより、大容量の画像信号を安定して供給することができる。
【００８５】
ここで、接続経路切換部２５１を、例えばＩＯポートを取り仕切るドライバソフトウェアなどで構成すると、オペレータによる切換え指示入力に応じて、それまで画像取り込みさせていた撮像装置に一時中断の指示を出し、別の通信線に接続して画像受け入れを再び行うことになる。
【００８６】
なお、専用通信線のポート数と公衆通信線のポート数にそれぞれ上限がある場合には、接続経路切換部２５１が、ポート数の上限を超えないように、一の撮像装置との通信線を公衆通信線から専用通信線に切り換えるとき、別の撮像装置との通信線を専用通信線から公衆通信線に切り換えるようにしてもよい。
【００８７】
例えば、公衆通信線Ｌ２に接続中のドアホン子器４を専用通信線Ｌ１に切り換え接続する場合、それまで専用通信線Ｌ１に接続していたドアホン子器４のうち継続使用対象指定されていないドアホン子器４を自動選択し、ドアホン子器４との接続を専用通信線Ｌ１から公衆通信線Ｌ２に切り換えてから、ドアホン子器４との接続を公衆通信線Ｌ２から専用通信線Ｌ１に切り換えて使用する。
【００８８】
どのドアホン子器４を公衆通信線Ｌ２にするか専用通信線Ｌ１にするかの判断基準として、例えば携行者の顔を捉えているドアホン子器４や携行者の姿を捉えているドアホン子器４、または暴漢らしき人物を捉えているドアホン子器４を、専用通信線Ｌ１に優先的に接続するような基準にする。なお、自動に限らず、操作入力により切り換えるようにしてもよい。
【００８９】
なお、上記各実施形態において、操作入力部１５で緊急通報通常モードまたは緊急通報静観モードを解除するための解除モードまたは待機モードを選択する操作が行われると、緊急通報通常モードまたは緊急通報静観モードを解除して、待機モードに移行し、マイク部１２およびスピーカ部１３などを非動作状態に切り換えるとともに、無線送受信部１１を通じた緊急通報先への通信を終了し、発光部１４のあるＬＥＤを常時点滅ないし点灯させて待機モード中であることを示すように構成してもよい。この構成の場合、待機モードでは、マイク部１２、スピーカ部１３および発光部１４のうち、マイク部１２およびスピーカ部１３が非動作状態となる。なお、非動作状態は、動作状態ではあるが無線送受信部１１に対しては切断状態にある実質的な非動作状態をも含むことは言うまでもない。
【００９０】
【発明の効果】
以上のことから明らかなように、緊急通報静観モードで緊急通報をしなければならないような状況でも、画像で携行者の様子を確認することが可能となる。
【図面の簡単な説明】
【図１】本発明による第１実施形態の通報システムの構成図である。
【図２】同通報システムにおけるドアホン子器の構成図である。
【符号の説明】
１  携帯無線端末
１０  制御部
１１  無線送受信部
１２  マイク部
１３  スピーカ部
１４  発光部
１５  操作入力部
１６  撮像カメラ
１７  記憶部
１８  ＧＰＳ受信部
２  センタ装置
２０  制御部
２１  通信部
２２  画像処理部
２３  操作入力部
２４  記憶部
２５  通信インタフェース
３  カメラ
４  ドアホン子器
５  終端装置
６  インタホン親器
７  ＧＰＳ衛星
【図１】
2004355564.tif 000003
【図２】
2004355564.tif 000004